(57)【要約】【課題】レール内へのゴミや埃等の侵入が防止され、レールに沿ってランナーが長期にわたりスムーズにスライド走行されるようになるスライドレール構造を提供する。【解決手段】側方へ開口した断面略Ｃ字型のレール１と、レール１内をスライド自在に走行するランナー２と、を備え、ランナー２にはレール１の側方開口部３から外方へ突出する部材支持部４が設けられたスライドレール構造において、レール１の側方開口部３を塞ぐ薄平板状の遮蔽片５を長手方向に沿って多数配設し、各遮蔽片５は、側方開口部３の上縁部分に長手方向で揺動自在となるように枢支され、側方開口部３に沿って移動するランナー２の部材支持部４が当接することで上方へ回動Ｘして退避し、部材支持部４の通過後にはその自重により下方へ回動Ｙして側方開口部３を塞ぐ状態に復元するようになした。【選択図】図１
2007239317.tif 000002
【特許請求の範囲】
【請求項１】
側方へ開口した断面略Ｃ字型のレールと、レール内をスライド自在に走行するランナーと、を備え、ランナーにはレールの側方開口部から外方へ突出する部材支持部が設けられたスライドレール構造であって、レールの側方開口部を塞ぐ薄平板状の遮蔽片を長手方向に沿って多数配設し、各遮蔽片は、側方開口部の上縁部分に長手方向で揺動自在となるように枢支され、側方開口部に沿って移動するランナーの部材支持部が当接することで上方へ回動して退避し、部材支持部の通過後にはその自重により下方へ回動して側方開口部を塞ぐ状態に復元するようになしたスライドレール構造。
【請求項２】
ランナーの部材支持部が摺接される遮蔽片の両側縁部をテーパー状に形成して、同遮蔽片を下巾狭まり形状となしたことを特徴とする請求項１記載のスライドレール構造。
【請求項３】
各遮蔽片を前後交互に位置をずらせて配設して、隣り合う遮蔽片の側縁部同士を近接させたことを特徴とする請求項１又は２記載のスライドレール構造。
【発明の詳細な説明】
【技術分野】
【０００１】
本願発明は、側方へ開口した断面略Ｃ字型のレールと、レール内をスライド自在に走行するランナーと、を備え、例えば、各種部材が吊り下げ保持されるハンガーレール構造やスライドドアをスライド自在に支持する走行レール構造等に用いられるスライドレール構造に関するものである。
【背景技術】
【０００２】
従来から、図３に示すように、側方へ開口した断面略Ｃ字型のレール１と、レール１に沿ってスライド自在に走行するランナー２と、を備えたスライドレール構造は知られている（特許文献１：特開平９−１９３４８号公報）。このスライドレール構造は室内のハンガーレールシステムの一部を構成するもので、レール１が壁面９と天井面１４とのなす隅部分に取り付けられている。この場合、ランナー２にはレール１の側方開口部３から外方へ突出する部材支持部４が設けられており、この部材支持部４にはカーテン等の遮蔽材１５が吊り下げ保持されている。
【０００３】
そして、レール１の下部には吊り下げ用フック１６が長手方向に沿って一体に垂設されており、吊り下げ用フック１６にはその適宜箇所において衣類や鞄等の小物類が吊り下げられ、これ等の小物類は前記遮蔽材１５により必要に応じて覆い隠される。それ故、遮蔽材１５を張設することで室内は整頓された雰囲気となり、特に来客があったとき、室内を来客用に整える上で迅速な対応を可能にするとされている。
【特許文献１】特開平９−１９３４８号公報
【発明の開示】
【発明が解決しようとする課題】
【０００４】
しかしながら、上記従来例であるスライドレール構造においては、側方へ開口した断面略Ｃ字型のレール１であるため、このレール１の内部に側方開口部３からゴミや埃等が侵入し易いものであり、しかも、その形状から侵入したゴミや埃等を容易には除去することができないものであった。そして、ゴミや埃等が堆積してくると、レール１に沿ってスライド走行するランナー２の摺動性は低下し、ランナー２が円滑にスライド走行できなくなってしまうという問題を生じるものであった。
【０００５】
本願発明は、上記背景技術に鑑みてなされたものであり、その課題は、レール内へのゴミや埃等の侵入が防止され、レールに沿ってランナーが長期にわたりスムーズにスライド走行されるようになるスライドレール構造を提供することである。
【課題を解決するための手段】
【０００６】
上記課題を解決するために、本願発明のスライドレール構造は、側方へ開口した断面略Ｃ字型のレールと、レール内をスライド自在に走行するランナーと、を備え、ランナーにはレールの側方開口部から外方へ突出する部材支持部が設けられたスライドレール構造であって、レールの側方開口部を塞ぐ薄平板状の遮蔽片を長手方向に沿って多数配設し、各遮蔽片は、側方開口部の上縁部分に長手方向で揺動自在となるように枢支され、側方開口部に沿って移動するランナーの部材支持部が当接することで上方へ回動して退避し、部材支持部の通過後にはその自重により下方へ回動して側方開口部を塞ぐ状態に復元するようになしたものである。
【発明の効果】
【０００７】
本願発明のスライドレール構造においては、レールの側方開口部を塞ぐ薄平板状の遮蔽片が長手方向に沿って多数配設されているので、レール内へのゴミや埃等の侵入は各遮蔽片によって防止され、レール内にゴミや埃等が堆積し難くなる。
【０００８】
そして、各遮蔽片は、側方開口部の上縁部分に長手方向で揺動自在となるように枢支され、側方開口部に沿って移動するランナーの部材支持部が当接することで上方へ回動して退避するので、ランナーは各遮蔽片が支障とならずレールに沿ってスムーズにスライド走行する。しかも、各遮蔽片は、部材支持部の通過後にその自重により下方へ回動して側方開口部を塞ぐ状態に復元するので、レール内へのゴミや埃等の侵入が確実に防止され、レール内でのゴミや埃等の堆積も確実に防止されて、ランナーのスムーズなスライド走行性は長期にわたり維持される。
【発明を実施するための最良の形態】
【０００９】
図１、２は、本願の請求項１〜３全てに対応した一実施形態を示している。この実施形態のスライドレール構造では、側方へ開口した断面略Ｃ字型のレール１と、レール１内をスライド自在に走行するランナー２と、を備えており、ランナー２にはレール１の側方開口部３から外方へ突出する部材支持部４が設けられている。
【００１０】
そして、この場合に、レール１の側方開口部３を塞ぐ薄平板状の遮蔽片５ａ，５ｂを長手方向に沿って多数配設し、各遮蔽片５ａ，５ｂは、側方開口部３の上縁部分に長手方向で揺動自在となるように枢支され、側方開口部３に沿って移動するランナー２の部材支持部４が当接することで上方へ回動Ｘして退避し、部材支持部４の通過後にはその自重により下方へ回動Ｙして側方開口部３を塞ぐ状態に復元するようになしている。
【００１１】
また、この実施形態のスライドレール構造では、ランナー２の部材支持部４が摺接される遮蔽片５ａ，５ｂの両側縁部５１をテーパー状に形成して、同遮蔽片５ａ，５ｂを下巾狭まり形状となしている。しかも、各遮蔽片５ａ，５ｂを前後交互に位置をずらせて配設して、隣り合う遮蔽片５ａ，５ｂの側縁部５１同士を近接させている。
【００１２】
以下、この実施形態のスライドレール構造より具体的詳細に説明する。この実施形態のスライドレール構造は、カーテンやスライドドア等をスライド自在に支持する走行レール構造、或いは、絵画パネルや飾り棚等の各種インテリア部材が吊り下げ保持されるハンガーレール構造として用いることができ、室内において施工されるものである。
【００１３】
そして、レール１は側方へ開口した断面略Ｃ字型であり、アルミニウムの押出型材にて形成されたものである。断面略Ｃ字型のレール１は、上板部６と下板部７と背板部８とでなり、この背板部８が室内の壁面９の上位に固定されて設置されるものである。なお、この場合、レール１は上板部６が室内の天井面に固定されて設置されてもよく、また、その固定手段はねじ止め、接着等別段限定されるものでない。
【００１４】
レール１の側方開口部３の上縁部分（上板部６の前端下側）及び下縁部分（下板部７の前端上側）には、相互に対向して凹溝６１、７１が形成されている。凹溝６１及び凹溝７１はいずれも対にして前後に並設されており、前側の凹溝６１、７１には手前側の遮蔽片５ａの上下端部分が各々収容され、後側の凹溝６１、７１には奥側の遮蔽片５ｂの上下端部分が各々収容される。各遮蔽片５ａ，５ｂの上端部分は凹溝６１内において軸ピン５２で枢支され、これにより、各遮蔽片５ａ，５ｂがレール１の長手方向に揺動自在となるもので、各遮蔽片５ａ，５ｂの下端部分は凹溝７１に対して出入自在となる。
【００１５】
各遮蔽片５ａ，５ｂはいずれも同形状で、その両側縁部５１がテーパー状に形成されて正面視で下巾狭まりの略卵形状となっている。また、各遮蔽片５ａ，５ｂは薄平板状で金属や合成樹脂にて形成され、遮蔽片５ａと遮蔽片５ｂとは前後交互に位置をずらせて配設されている。そして、隣り合う遮蔽片５ａと遮蔽片５ｂとの側縁部５１同士は相互に近接していて、その一部分が前後に重なり合っている。
【００１６】
ランナー２は転動車１０を有しており、この転動車１０がレール１の下板部７上を転動することによって、レール１内をランナー２はスライド走行するものである。転動車１０の回転中心となる軸芯杆１１は、部材支持部４としてレール１の側方開口部３から外方へ突出され、軸芯杆１１の前端に設けられた支持片１２の下端にフック片１３が一体に形成されており、このフック片１３にはカーテンや各種インテリア部材等の吊り下げ物を着脱自在に係止して吊り下げ保持させることができる。
【００１７】
そして、ランナー２がレール１に沿ってスライド走行される際には、図１（ａ）に示すように、図面向かって右から左へとランナー２が走行されると、遮蔽片５ａ（遮蔽片５ｂも同様）は、その側縁部５１にランナー２の部材支持部４が摺接されることで上方へ回動Ｘして退避（実線で示す）し、部材支持部４の通過後にはその自重により下方へ回動Ｙして自動的に側方開口部３を塞ぐ状態に復元（二点鎖線で示す）する。なお、ランナー２が逆方向に走行されても、各遮蔽片５ａ，５ｂは同様に揺動される。
【００１８】
したがって、この実施形態のスライドレール構造においては、レール１の側方開口部３を塞ぐ薄平板状の遮蔽片５ａ，５ｂが長手方向に沿って多数配設されているので、レール１内へのゴミや埃等の侵入は各遮蔽片５ａ，５ｂによって防止され、レール１内にゴミや埃等が堆積し難くなる。それ故、ランナー２のスライド走行性を保持するための面倒なレール１内の清掃作業の手間が削減される。
【００１９】
そして、各遮蔽片５ａ，５ｂは、側方開口部３の上縁部分に長手方向で揺動自在となるように枢支され、側方開口部３に沿って移動するランナー２の部材支持部４が当接することで上方へ回動Ｘして退避するので、ランナー２は各遮蔽片５ａ，５ｂが支障とならずレール１に沿ってスムーズにスライド走行することができる。
【００２０】
しかも、各遮蔽片５ａ，５ｂは、部材支持部４の通過後にその自重により下方へ回動Ｙして側方開口部３を塞ぐ状態に復元するので、側方開口部３が常時塞がれた状態に保持されて、レール１内へのゴミや埃等の侵入は確実に防止され、レール１内でのゴミや埃等の堆積も確実に防止されることとなり、ランナー２のスムーズなスライド走行性が長期にわたって維持される。
【００２１】
また、この実施形態のスライドレール構造においては、ランナー２の部材支持部４が摺接される遮蔽片５ａ，５ｂの両側縁部５１をテーパー状に形成して、同遮蔽片５ａ，５ｂを下巾狭まり形状となしているため、ランナー２の部材支持部４が遮蔽片５ａ，５ｂの側縁部５１に摺接された際に、各遮蔽片５ａ，５ｂは抵抗少なくスムーズに回動し、各遮蔽片５ａ，５ｂの退避・復元動作がスムーズとなり、ランナー２のスライド走行性も向上される。
【００２２】
更に、この実施形態のスライドレール構造においては、各遮蔽片５ａ，５ｂを前後交互に位置をずらせて配設して、隣り合う遮蔽片５ａ，５ｂの側縁部５１同士を近接させているため、各遮蔽片５ａ，５ｂ間の隙間が減少されて、レール１内へのゴミや埃等の侵入はより確実に防止され、レール１内でのゴミや埃等の堆積もより確実に防止される。この場合、各遮蔽片５ａ，５ｂが前後交互に位置をずらされているため、相互に近接しているにもかかわらず、回動する際には相互間の当接が回避される。
【図面の簡単な説明】
【００２３】
【図１】本願発明の一実施形態であるスライドレール構造を示す（ａ）は正面図、（ｂ）は（ａ）におけるＡ−Ａ断面図。
【図２】同スライドレール構造を示す分解斜視図。
【図３】従来例であるスライドレール構造を示す断面図。
【符号の説明】
【００２４】
１  レール
２  ランナー
３  側方開口部
４  部材支持部
５ａ，５ｂ  遮蔽片
５１  側縁部
【図１】
2007239317.tif 000003
【図２】
2007239317.tif 000004
【図３】
2007239317.tif 000005